(57)【要約】電子ディスプレイ(102)に示された画像(100)を遠隔で確認するシステム及び方法が提供される。プロセッサ(110)は、スクリーン・キャプチャ装置(108)に、電子ディスプレイ(102)に現在示されている画像のスクリーン・キャプチャを撮るように指示する。スクリーン・キャプチャは、電子ストレージ装置(112)に記録することができ、ネットワーク接続装置(114)を介してネットワーク・データベース(120)に送信することもできる。顧客は、ネットワーク・データベース(120)に接続されるユーザ・インターフェースを介してスクリーン・キャプチャにアクセス可能となる。
2019526948.tif 000002
【特許請求の範囲】
【請求項１】
電子ディスプレイに示された画像の遠隔確認用のシステムであって、
タイミング制御基板（TCON）と、
ビデオプレーヤと、
前記電子ディスプレイ、前記タイミング制御基板（TCON）及び前記ビデオプレーヤと繋がっているスクリーン・キャプチャ装置であって、前記画像のスクリーン・キャプチャを撮るように構成された前記スクリーン・キャプチャ装置と、
前記ビデオプレーヤ及び前記スクリーン・キャプチャ装置と繋がっているプロセッサであって、前記画像のスクリーン・キャプチャを撮るように前記スクリーン・キャプチャ装置に指示するように構成された前記プロセッサと、
前記プロセッサと繋がっている電子ストレージ装置であって、前記スクリーン・キャプチャを記録するように構成された前記電子ストレージ装置と、
前記プロセッサと繋がっているネットワーク接続装置と、
前記電子ディスプレイから遠隔に配置され、且つ、前記ネットワーク接続装置と繋がっているネットワークされたデータベースであって、前記スクリーン・キャプチャを受信するように構成された前記ネットワークされたデータベースと、
を備えるシステム。
【請求項２】
前記ネットワークされたデータベース及び前記ネットワーク接続装置は、互いにインターネットを介して通信可能である、
請求項１に記載のシステム。
【請求項３】
前記プロセッサは、前記画像のスクリーン・キャプチャを定期的に撮るように前記スクリーン・キャプチャ装置に指示するように構成されている、
請求項１に記載のシステム。
【請求項４】
特定の画像が前記電子ディスプレイに表示されるようにスケジュールされている時に、前記プロセッサは、前記スクリーン・キャプチャを撮るように前記スクリーン・キャプチャ装置に命令するように構成されている、
請求項１に記載のシステム。
【請求項５】
前記スクリーン・キャプチャ装置は、前記スクリーン・キャプチャに時間情報を追加するように構成されている、
請求項１に記載のシステム。
【請求項６】
前記プロセッサは、前記電子ディスプレイに表示された新しい画像のスクリーン・キャプチャを撮るように前記スクリーン・キャプチャ装置に指示するように構成されている、
請求項１に記載のシステム。
【請求項７】
前記スクリーン・キャプチャ装置は、前記スクリーン・キャプチャにチェックサム・データを追加するように構成され、
前記プロセッサは、既に記録されたスクリーン・キャプチャのチェックサム・データと一致するチェックサム・データを有するスクリーン・キャプチャを破棄するように構成されている、
請求項６に記載のシステム。
【請求項８】
前記プロセッサは、前記スクリーン・キャプチャを圧縮するように構成されている、
請求項１に記載のシステム。
【請求項９】
前記プロセッサは、前記スクリーン・キャプチャを再フォーマットするように構成されている、
請求項１に記載のシステム。
【請求項１０】
前記ネットワークされたデータベースに記録された前記スクリーン・キャプチャへのアクセスを許可するように構成されたユーザ・インターフェースと、
前記ネットワークされたデータベースと通信可能であり、且つ、前記ユーザ・インターフェースを表示するように構成された電子装置と、
を更に備える請求項１に記載のシステム。
【請求項１１】
前記ユーザ・インターフェースは、ウェブサイトである、
請求項１０に記載のシステム。
【請求項１２】
前記電子ディスプレイは、耐候性の囲いに配置され、
前記画像は、広告である、
請求項１に記載のシステム。
【請求項１３】
電子ディスプレイに示された画像の遠隔確認用のシステムであって、
画像確認要求を受信するように構成されたプロセッサと、
前記ディスプレイに表示された画像のスクリーン・ショットを撮るように構成されたスクリーン・キャプチャ装置と、
前記プロセッサからの命令を受信し、且つ、前記画像に関するデータを前記電子ディスプレイ及び前記スクリーン・キャプチャ装置に出力するように、構成されたビデオプレーヤと、
前記プロセッサと繋がって、前記スクリーン・ショットを記録するように構成された電子ストレージ装置と、
前記プロセッサと繋がっているネットワーク接続装置と、
前記電子ディスプレイから遠隔に配置され、且つ、前記ネットワーク接続装置と繋がっているネットワークされたデータベースであって、前記スクリーン・ショットを受信するように構成された前記ネットワークされたデータベースと、
を備え、
前記電子ディスプレイに現在表示されている画像に対して画像確認要求を受信する時に、前記プロセッサは、スクリーン・ショットを撮るように前記スクリーン・キャプチャ装置に命令するように構成されている、
システム。
【請求項１４】
前記スクリーン・ショットを見ることを許可するように構成されたユーザ・インターフェースと、
前記ネットワークされたデータベースと通信可能であり、且つ、前記ユーザ・インターフェースへのアクセスを提供するように構成された電子装置と、
を更に備える請求項１３に記載のシステム。
【請求項１５】
電子ディスプレイに示された画像の遠隔確認用の方法であって、
前記電子ディスプレイ、ビデオプレーヤ、スクリーン・キャプチャ装置、電子ストレージ装置、ネットワーク接続装置及びネットワークされたデータベースと繋がっているプロセッサを提供すること、
前記電子ディスプレイの表示用の前記画像を出力するように前記ビデオプレーヤに命令すること、
前記画像のスクリーン・キャプチャを撮るように前記スクリーン・キャプチャ装置に命令すること、
前記電子ストレージ装置に前記スクリーン・キャプチャを記録すること、
前記ネットワーク接続装置を介して前記ネットワークされたデータベースに前記スクリーン・キャプチャを送信すること、
前記ネットワークされたデータベースに前記スクリーン・キャプチャを記録すること、及び
前記ネットワークされたデータベースに記録された前記スクリーン・キャプチャへのアクセスを提供すること、
を含む方法。
【請求項１６】
前記電子ディスプレイに表示されている前記画像用に対して画像確認の要求を受信したか否かを判定すること、
を更に含み、
画像確認が要求された時だけに、前記スクリーン・キャプチャが前記ネットワークされたデータベースに送信される、
請求項１５に記載の方法。
【請求項１７】
前記スクリーン・キャプチャにチェックサム・データを提供すること、
前記スクリーン・キャプチャに提供された前記チェックサム・データが記憶したスクリーン・キャプチャに提供されていたチェックサム・データと一致するか否かを判定すること、及び
前記スクリーン・キャプチャが既に記録していたスクリーン・キャプチャに提供されていたチェックサム・データと一致するチェックサム・データを有する時に、前記スクリーン・キャプチャを破棄すること、
を更に含む請求項１５に記載の方法。
【請求項１８】
前記スクリーン・キャプチャを圧縮すること、
を更に含む請求項１５に記載の方法。
【請求項１９】
前記ネットワークされたデータベースに記録された前記スクリーン・キャプチャへのアクセスは、前記ネットワークされたデータベースへのアクセスを許可するように構成されたウェブサイトをホスティングすることによって提供される、
請求項１５に記載の方法。
【請求項２０】
前記ネットワークされたデータベースに記録された前記スクリーン・キャプチャへのアクセスは、記録された前記スクリーン・キャプチャのコピーをクライアントに送信することによって提供される、
請求項１５に記載の方法。
【発明の詳細な説明】
【技術分野】
【０００１】
[0001] 本出願は、2016年5月31日付け出願の米国仮特許出願第62/343,478号の優先権を主張する。その開示は、その参照によってその全体を本明細書に組み込むものとする。
【０００２】
（技術分野）
[0002] 本発明の実施形態は、概して、電子ディスプレイ用のスクリーン・キャプチャシステム及びその方法に関連する。
【背景技術】
【０００３】
（背景）
[0003] 電子ディスプレイは、広告画像の表示に使用されることがある。電子ディスプレイは、多くの観衆に視認してもらうために、公の場に提供することができる。個人及び企業は、料金を支払うことで、彼らの広告画像を電子ディスプレイ上に周期的に表示させることができる。
【発明の概要】
【課題を解決するための手段】
【０００４】
（発明的な概念の概要）
[0004] 例示的な実施形態は、ビデオプレーヤに電気的に接続されたタイミング制御基板（TCON）に電気的に接続される電子ディスプレイを備える。プロセッサは、ビデオプレーヤが電子ディスプレイ上の特定の静止画又は動画を表示するように指示することができる。１実施形態において、プロセッサは、現在表示されている（広告）画像用の顧客が画像の検証及び／又は確認を要求したかどうかを分かるようにチェックすることができる。仮に顧客が行った場合、プロセッサは、スクリーン・キャプチャ装置に指示を出して、現在表示されている画像又は映像の、静的なスクリーン・ショット又はビデオ・セグメント・クリップ（以下、本明細書において、総称して「スクリーン・キャプチャ」とも言う）を撮らせることができる。スクリーン・キャプチャは、時刻及び日付がスタンプされて、電子ディスプレイでのローカルな電子ストレージ装置内に又は電子ディスプレイから遠隔であるネットワークされたデータベース内に、記録することができる。例示的な実施形態にいて、スクリーン・キャプチャは、メモリ及びネットワークの使用を制限するために、記録される前に、圧縮することができる。電子ストレージ装置は、ネットワーク接続装置を介して通信ネットワークに接続することができ、また、顧客にスクリーン・キャプチャを定期的に送信することができ、又は、ユーザ・インターフェース上でスクリーン・キャプチャにアクセス可能にすることができる。
【図面の簡単な説明】
【０００５】
（図面の簡単な説明）
[0005] 上述の特徴に加えて、本発明の他の態様は、以下の図面の説明及び例示的な実施形態から明らかになるであろう。なお、幾つかの図面に渡る同様の参照符号は、同一又は等価の特徴を意味している。
【図１】[0006] 図１は、スクリーン・キャプチャ装置を有する例示的なディスプレイ・アセンブリの簡略化されたブロック図である。
【図２】[0007] 図１は、スクリーン・キャプチャ装置を有するもう１つの例示的なディスプレイ・アセンブリの簡略化されたブロック図である。
【図３】[0008] 図３は、図１又は図２の何れか一方のディスプレイ・アセンブリを使用するための例示的なユーザ・インターフェースである。
【図４】[0009] 図４は、図１又は図２の何れか一方のディスプレイ・アセンブリを動作させるための例示的な論理フローチャートである。
【図５】[0010] 図５は、図１又は図２の何れか一方のディスプレイ・アセンブリを動作させるためのもう１つの例示的な論理フローチャートである。
【発明を実施するための形態】
【０００６】
（例示的な実施形態の詳細な説明）
[0011] 本発明は、本発明の例示的な実施形態が図示される添付の図面を参照しながら、以下に、より完全に説明する。しかしながら、本発明は、多くの異なる形式で実施することができ、また、本明細書に記載の例示的な実施形態に限定されるように解釈すべきものではない。むしろ、これらの実施形態が提供される目的は、この開示によって発明の範囲を当業者に完全に伝達できるように、その開示を十分にすることにある。なお、図面において、レイヤ及び領域のサイズ及び相対的なサイズは、明確化のために誇張されている場合がある。
【０００７】
[0012] 本明細書における用語は、特定の実施形態のみを説明するために使用され、本発明を限定する意図はない。また、明細書において使用されている、単数形は、明らかにその文脈から異なることが明示されていない限り、複数形をも含む意図を持っている。また、用語「備える」及び／又は「備えている」は、本明細書における使用において、記載された特徴、整数、ステップ、動作、構成及び／又は要素の存在を明示していることを理解することができるが、１又は複数の他の特徴、整数、ステップ、動作、構成、構成要素、及び／又はそれらの群の存在を排除するものではない。
【０００８】
[0013] 以下、本発明の理想的な実施形態（及び中間構造）の概略図が図示される図面を参照しながら、本発明の実施形態を説明する。図面の形状からのズレは、例えば、製造技術及び／又は許容値の結果として、予測することができる。したがって、発明の実施形態は、図示された領域の特定の形状に限定されるように解釈されるべきものではなく、例えば、製造からの結果から生じる形状の偏差を含むように解釈することができる。
【０００９】
[0014] 他の定義されない限り、本明細書で使用されるすべての用語（技術用語及び科学用語を含む）は、当該技術分野における当業者に理解される一般的な意味を有しているものと解釈すべきである。一般的に使用される辞書で定義されている場合等、用語は、本明細書において明確に定義されていない限り、関連技術における文脈の意味と一致する意味を有するように解釈すべきであり、理想的な又は過度に形式的な意味で解釈されるものではない。
【００１０】
[0015] 電子ディスプレイが静止画だけでなく、動画も表示できることは、既知である。本明細書において、用語「画像」は、電子ディスプレイ上に表示されるものという点で、静止画及び動画の双方を表すものとして使用することができる。本明細書で説明される検証システムは、静止画だけでなく、動画も含む双方に、明示的に使用することができる。
【００１１】
[0016] 図１を参照する。検証システム100は、TCON 104に電気的に接続される電子ディスプレイ102を備えることができる。TCON 104は、スクリーン・キャプチャ装置108と電気的に通信可能である。スクリーン・キャプチャ装置108は、必須ではないが、フィールド・プログラマブル・ゲート・アレイ（FPGA）から構成することができる。スクリーン・キャプチャ装置108は、ビデオプレーヤ106及びプロセッサ110と電気的に接続することができる。この実施形態において、スクリーン・キャプチャ装置108は、ビデオプレーヤ106の下流に位置し、且つ、TCON 104の上流に位置する。プロセッサ110は、任意の方のプロセッサでよく、これに限定されないが、例えば、300 MHz及び64MB RAMの能力を有する。プロセッサ110は、画像又はビデオ（本明細書において、単に「画像」と言う）を再生するように、ビデオプレーヤ106を指示することができる。プロセッサ110は、事前にプログラムされた命令に基づき、どの画像を再生するかを決定することができる。命令はまた、限定されないが例えば、再生時間、順番、頻度、タイミング、その他、画像の再生に関する同様のものを含むことができる。選択される画像が、限定されないが例えば、明るさ、色、暖かさ、コントラスト等を含んで表示される間、命令はまた、電子ディスプレイ102用の設定を含むことができる。命令は、いつでも変更することができる。例示的な実施形態において、命令は、別個のプロセッサによって与えられてもよい。
【００１２】
[0017] プロセッサ110は、実際に表示されている画像を監視することができ、また、画像を提出した顧客が画像検証を要求したかどうかを分かるようにチェックすることができる。顧客が画像検証を要求しなかった場合、画像検証システム100は、正常に動作し続けることができる。顧客が画像検証を要求した場合、画像検証システム100は、スクリーン・キャプチャ装置108を指示して、表示された画像のスクリーン・キャプチャを撮ることができる。その画像が動画である時に、スクリーン・キャプチャ装置108は、その動画の静止画スクリーン・ショットを撮ることができ、或いは、表示された広告動画のクリップを記録することができる。画像が静止画である時に、スクリーン・キャプチャ装置108は、表示された画像のスクリーン・ショットを撮ることができる。スクリーン・キャプチャは、プロセッサ110と電気的に接続され、且つ、電子ディスプレイ102にローカルに配置される電子ストレージ装置112に記録することができ、又は、遠隔に配置可能であるネットワークされたデータベース120にネットワーク接続装置114を介して送信することができる。
【００１３】
[0018] 例示的な実施形態において、スクリーン・キャプチャは、表示された画像毎に撮られてもよく、また、プロセッサ110は、顧客が画像検証を要求したか否かに基づき、スクリーン・キャプチャを保持又は破棄するかを決定することもできる。他の例示的な実施形態において、スクリーン・キャプチャは、定期的に、これに限定されないが例えば、５秒毎に撮ることができる。スクリーン・キャプチャ装置108は、スクリーン・キャプチャのファイルのヘッダ又は他の部分内に、チェックサム又は他の確認データを含むことができる。このように、以前にキャプチャされたものと同じ画像が現在表示される時に、プロセッサ110は、記録しないように、スクリーン・キャプチャを指示することができる。別の他の実施形態において、スクリーン・キャプチャは、表示されるすべての画像毎に撮られてもよく、且つ、自動的に削除される前に一定期間だけ記録することができる。
【００１４】
[0019] スクリーン・キャプチャ装置108は、スクリーン・キャプチャに関連する時刻及び日付を含むことができる。スクリーン・キャプチャを撮って記録する命令は、プロセッサ110によって与えられてもよく、又は、遠隔のプロセッサ又はアプリケーション（これに限定されないが例えば、ネットワークされたデータベース120上にインストールされたアプリケーション）によって与えられてもよい。
【００１５】
[0020] ネットワーク接続装置114は、通信ネットワーク、例えば、これらに限定されないが、イントラネット、インターネット、セルラー・ネットワーク、ワールド・ワイド・ウェブ、又は、その他、顧客に定期的にスクリーン・キャプチャが送信される同様のものと、通信可能である。送信は、電子メール、画像メッセージ、アップデート、その他、同様のものによって、実施することができる。他の例示的な実施形態において、電子ストレージ装置112又はネットワークされたデータベース120上に記録されたスクリーン・キャプチャ・データは、図３で図示され、且つそれに関して説明されるユーザ・インターフェース300によって、顧客側に利用可能となる。
【００１６】
[0021] 例示的な実施形態において、通信ネットワーク118上に記録され、且つ／又は、送信される前に、スクリーン・キャプチャ装置108は、スクリーン・キャプチャを圧縮し、且つ、再フォーマットすることができる。これにより、メモリ及びネットワークの使用を制限することができる。例示的な実施形態において、圧縮は、600:1の比率とすることができる。例えば、限定として機能するものではないが、ネイティブ又は本来の入力フォーマットは、3840x2160のRGB888 BMPフォーマットであり、また、キャプチャされた画像は、240x135の解像度でRGB565 PNGフォーマットに再フォーマットされる。他の例示的な実施形態において、ネイティブの入力フォーマットは、1920x1080のRGB888 BMPフォーマットであり、また、キャプチャされた画像は、240x135の解像度でRGB565 PNGフォーマットに再フォーマットされる。なお、これらは、単なる例示であり、任意のサイズ及びフォーマット・ネイティブ入力、任意の圧縮比、任意の出力サイズ及びフォーマットで、実施することもできる点に、留意すべきである。
【００１７】
[0022] 図２参照する。もう１つの例示的な実施形態において、画像検証システム200は、２つのビデオ出力を有するビデオプレーヤ107を代わりに備えている。第１ビデオ出力は、TCON 104に電気的に接続され、第２ビデオ出力は、スクリーン・キャプチャ装置108に電気的に接続されている。この実施形態において、ビデオプレーヤ107の出力、すなわち広告画像は、TCON 104及びスクリーン・キャプチャ装置108の双方に送信される。スクリーン・キャプチャは、プロセッサ110に電気的に接続される電子ストレージ112に記録することもでき、又は、遠隔に配置されたネットワークされたデータベース120にネットワーク接続装置114を介して送信することができる。電子ストレージ112又はネットワークされたデータベース120は、図３で図示され、且つそれに関して説明されるユーザ・インターフェース300によって、顧客側に利用可能となる。
【００１８】
[0023] 図３を参照する。例示的な実施形態において、ユーザ・インターフェース300は、ウェブサイトである。他の例示的な実施形態において、ユーザ・インターフェース300は、もう１つのウェブサイト又はプログラムで使用するように構成されたアプリケーション・プログラミング・インタフェース（API）である。別の他の例示的な実施形態において、ユーザ・インターフェース300は、グラフィカル・ユーザ・インターフェース（GUI）である。ユーザ・インターフェース300は、電子ストレージ112又はネットワークされたデータベース120と通信可能であり、且つ、記録したスクリーン・キャプチャ・データを視認可能とするように構成される。
【００１９】
[0024] ユーザ・インターフェース300は、スクリーン・キャプチャ・データを見るためのリンク312を備えることができる。リンク312を選択した後又はユーザ・インターフェース300にアクセスした後に、ディスプレイ状態（display status）302、ネットワーク設定（network setting）304、システム設定（system setting）306、センサ・チャート（sensor chart）308、ユニット・アップグレード（unit upgrade）310、その他、同様のもののオプションを利用することができる。ディスプレイ状態302のオプションは、新しいスクリーン・キャプチャを得ることができるリフレッシュ（refresh）機能314を提供することができる。スクリーン・キャプチャに関する情報は、スクリーン・キャプチャの時間情報及びプレビューを含んで表示することができる。完全なスクリーン・キャプチャ・データは、ダウンロード又は表示用に利用することができる。加えて、記録したスクリーン・キャプチャのすべてを利用又は入手することができる。
【００２０】
[0025] ネットワーク設定304のオプションは、ユーザに、通信ネットワーク118、ネットワーク接続装置114、及び／又は、ネットワークされたデータベース120に関する設定及びオプションを調整可能にさせることができる。システム設定306のオプションは、ユーザに、プロセッサ110に関する設定及びオプション、例えば、これらに限定されないが、どの画像を表示するか、画像の表示期間、順番及びタイミング、いつスクリーン・キャプチャを取得するか、時刻及び日付のスタンプ、その他、同様のものを調整可能にさせることができる。システム設定306のオプションはまた、ユーザに、電子ディスプレイ102に関する設定及びオプション、例えば、これらに限定されないが、明るさ、コントラスト、色、その他、同様のものを調整可能にさせることができる。センサ・チャート308のオプションは、ユーザに、いつスクリーン・キャプチャが撮られたのか、電子ストレージ112又はネットワークされたデータベース120上に記録したスクリーン・キャプチャを視認可能にさせることができる。ユニット・アップグレード310のオプションは、ユーザに、オプション、アップグレード、アドオン、その他、画像検証システム100用の同様のものに関する追加情報を提供することができる。
【００２１】
[0026] 例示的な実施形態において、ユーザ・インターフェース300は、幾つかの画像検証システム100又は200と通信可能であってもよく、これにより、複数の画像検証システム100又は200に対して画像検証を同時に提供することができる。ユーザ・インターフェース300は、各画像検証システム100又は200に関する状態及び他の情報を表示することができる。ユーザ・インターフェース300は、追加的に、各画像検証システム100又は200の現在の又は記録したスクリーン・キャプチャを表示し又はそれらにアクセスするための手段を提供することができる。
【００２２】
[0027] 当業者であれば、ユーザ・インターフェース300のルック・アンド・フィール、レイアウト、オプション等が、単なる例示であって、限定する意図を有しないことを認識できるであろう。任意のルック・アンド・フィール、レイアウト、オプション等を想定することができる。
【００２３】
[0028] 図４を参照する。例示的な実施形態において、画像検証システム100又は200は、電子ディスプレイ102上に画像を最初に表示することによって動作することができる。顧客（クライアント）が画像検証を要求しない場合、画像検証システム100又は200は、普通の動作を継続することができる。顧客が画像検証を要求する場合、スクリーン・キャプチャ装置108は、スクリーン・キャプチャを取得し、スクリーン・キャプチャ・データをクライアントに送信することができる。代替的に、スクリーン・キャプチャ・データは、顧客がオンラインでその後にアクセスできるように、記録することができる。例示的な実施形態において、スクリーン・キャプチャ装置108は、スクリーン・キャプチャ・データにタイムスタンプすることができる。画像検証システム100又は200は、その後、普通の動作を再開することができる。
【００２４】
[0029] 図５を参照する。もう１つの例示的な実施形態において、スクリーン・キャプチャ装置108は、表示された広告画像のすべてのスクリーン・キャプチャを取得することができる。システムは、スクリーン・キャプチャ・データを電子ストレージ装置112又はネットワーク・データベース120に記録することができ、顧客が画像確認を要求する場合、記録したスクリーン・キャプチャ・データが顧客に送信されるか、或いはそれに代わって、記録したスクリーン・キャプチャ・データへのアクセスが顧客に提供される。代替的に、システムは、顧客が画像検証を要求しなかった場合にスクリーン・キャプチャ・データを破棄することができる。別の他の実施形態において、スクリーン・キャプチャ装置108は、表示された広告画像のすべてのスクリーン・キャプチャを取得し、スクリーン・キャプチャは、自動的に削除される前の所定期間だけ記録される。
【００２５】
[0030] 本発明の好ましい実施形態を示し、説明したが、当業者は、特許請求の範囲に記載された発明の範囲内で、説明した発明に変化をもたらす多くの変形及び修正を理解することができるであろう。加えて、上述の要素の多くは、特許請求の範囲に記載された発明の精神に含まれ、同じ結果を提供することができる異なる要素によって、変更又は置換されることができる。したがって、発明の範囲は、特許請求の範囲の記載のみによって規定されることが意図されている。
【図１】
2019526948.tif 000003
【図２】
2019526948.tif 000004
【図３】
2019526948.tif 000005
【図４】
2019526948.tif 000006
【図５】
2019526948.tif 000007
【国際調査報告】
2019526948.tif 000008